(57)【要約】【課題】周囲温度やトンネル内風速などによって光出力が変化するトンネル照明に対して、所期のトンネル内の明るさとなるように運用時の調光状態を制御するシステムを提供する。【解決手段】温度測定部によってランプからの光出力に相関のある最冷点温度を測定し、その温度と記憶部の温度データに対するランプからの光出力の相対値を求める。次に、野外の明るさの測定値またはタイマから、所期の明るさを特定し、前述の光出力の相対値を考慮して、照明器具の調光レベルの制御を行う。【選択図】図１
2010198852.tif 000002
【特許請求の範囲】
【請求項１】
トンネル内に配設された放電灯を有するトンネル用の照明器具の出力制御を行うトンネル照明制御システムであって、
前記トンネル内に、前記放電灯の最冷点の温度を測定する測温手段と、
前記放電灯の光出力を測定する光出力測定部とを、
具備し、
前記測温手段の測定結果と光出力との相対値を算出し、この相対値に基づいて、前記放電灯の点灯制御を行うようにしたトンネル照明制御システム。
【請求項２】
請求項１に記載のトンネル照明制御システムであって、
前記測温手段として、前記トンネル内の温度を測定する温度測定部と、
前記温度測定部の出力情報を格納する記憶部と、
前記温度測定部の出力と前記記憶部に格納されたデータとを比較し、最冷点温度と光出力比率とを算出する演算部と、
前記演算部の出力に基づいて前記放電灯の点灯制御を行う制御部とを具備したトンネル照明制御システム。
【請求項３】
請求項１または２に記載のトンネル照明制御システムであって、
前記放電灯がトンネルの縦断方向と略平行に配置されており、前記トンネルの入口側に前記放電灯の点灯回路におけるランプ出力線の低圧側が配置されるとともに、
前記測温手段が前記トンネルの入り口側に配置されており、
前記トンネル入口側の前記放電灯端部の最冷点で測温するトンネル照明制御システム。
【請求項４】
請求項１乃至３のいずれかに記載のトンネル照明制御システムであって、
累積点灯時間を計測する測時手段を有し、累積点灯時間と前記放電灯の光出力との関係を考慮し、前記放電灯の光出力を測温結果より補正するトンネル照明制御システム。
【請求項５】
請求項１乃至４のいずれかに記載のトンネル照明制御システムであって、
放電灯は、蛍光灯または無電極蛍光灯であるトンネル照明制御システム。
【発明の詳細な説明】
【技術分野】
【０００１】
本発明は、トンネル照明制御システムにかかり、特にトンネルにおいて設置される照明器具の制御に関するものである。
【背景技術】
【０００２】
トンネル基本部の照明は、野外の明るさや交通量に応じて運用されている。照度センサや輝度センサを用いて野外の明るさを測定し、その値に応じてトンネル基本部の明るさの調節を行っている。また、時間帯によって交通量の変動が概ね予測できることから、タイムスケジュールに応じても調節を行い、交通量の少ない深夜の時間帯には、照明レベルの低減を行っている。
【０００３】
例えば、昼間時の照明器具の点灯状態（昼間モード）を１００％とした場合、野外が特定の明るさよりも暗くなれば夜間モードの５０％に調光され、さらに、タイマにより特定の時間帯を深夜モードとし、昼間モードの２５％に調光する制御が行われている。図９は、蛍光灯２灯用（５０％段調光安定器使用）の照明器具を用いた場合の運用事例を示し、夜間モードは１灯消灯し、深夜モードは１灯を５０％調光してそれぞれのモードにおける所期の明るさを確保している。
【０００４】
この種の照明器具の光源としては、従来は、ＨＩＤランプや低圧ナトリウムランプを使用するものが多く見られたが、近年は、蛍光ランプなどの放電灯がトンネル照明として使われ始めている。これは、既に、事務所や店舗などで普及しているＨｆ蛍光ランプなどのコンパクトで大容量の蛍光ランプをトンネル照明用の光源として使用することが実用化された結果であり、今後も利用は増えるものと推定されている。
【０００５】
ところで、トンネル内照明用としてトンネル基本部に用いられる照明器具の光源に蛍光ランプを用いた場合、同光源は周囲温度によって光出力が変化する特性がある。図１０はその一例であり、周囲温度１５℃における光出力を１００％とした時の周囲温度に対する光出力の相対値を示し、周囲温度が略−１０℃以下または１５℃以上の場合に光出力は１００％以下となる。そのため、極めて周囲温度が低下するような地域で蛍光ランプのトンネル照明器具を用いる場合は、−３０度においても所期の明るさが確保されるように図４に示すような時季に応じて制御方法を変更（カレンダーによる制御）して運用することが考えられる。なお、深夜モードにおいて、１灯消灯による５０％点灯が可能であるが、低温時に再点灯が困難な場合を考慮して、２灯を調光モードで点灯する、２灯５０％調光モードとしている。
【０００６】
しかし、冬季においても比較的、気温が高く夏季運用でも所期の明るさを確保できる場合があり、カレンダーによる制御方法では消費電力損失が生じることがある。
また、光源からの光出力を反射板の裏側から照度センサで計測し、光出力が一定となるように制御する方法も開発され、いくつかの事例があるが、極低温の環境において照度センサが動作しないことがある。
【０００７】
一方、特許文献１において、図１１にその照明制御システムの概要図を示すように、トンネルの外部（または内部）の温度を測定し、その測定結果を考慮して基本照明の運用時の必要な路面の明るさを確保できるようにトンネル基本照明の制御を行うシステムが提案されている。特許文献１の照明制御システムでは、トンネル外部に外気温センサ１を設け外気温センサで検出された温度が所定の温度よりも低くなったとき、判別した輝度ランクよりもひとつ高い輝度ランクとなるように制御部５で蛍光ランプ６を制御することで、周囲温度が低くなって蛍光ランプ６の光出力が低下したとしてもトンネル内の明るさの低下を緩和できるようにしている。３は輝度センサである。
【先行技術文献】
【特許文献】
【０００８】
【特許文献１】特開２００５−１９１２５号公報
【発明の概要】
【発明が解決しようとする課題】
【０００９】
しかし、トンネル内に風がある場合、風速によっては、無風状態よりも照明器具内の温度が下がるため、さらに光出力が低下することがある。このような場合には、特許文献１の照明制御システムで、外気温センサで検出された温度が所定の温度よりも低くなったとき、判別した輝度ランクよりもひとつ高い輝度ランクとなるようにすることで、周囲温度が低くなって蛍光ランプの光出力が低下したとしても、所期の路面の明るさを確保できない場合がある。
このように、蛍光灯は周囲の温度によって光出力が変化し、一定の周囲温度の範囲において、所要の明るさを満たすように灯具を配置するため、周囲温度によっては所要の明るさを上回ることがあり、無駄な電力消費が発生することになる。このため、従来の、無駄な電力消費を抑制するために、照度センサを器具内に装備し、周囲温度に関わらずランプの光出力が一定となるように調光制御を行なうトンネル灯が製品化されている。しかしながら、照度センサが動作可能な周囲温度に制約があるため、周囲温度が大きく低下する地域では使用できないという問題があった。
本発明は、前記実情に鑑みてなされたもので、周囲温度やトンネル内風速などによって光出力が変化するトンネル照明に対して、所期のトンネル内の明るさとなるように運用時の調光状態を制御するシステムを提供することを目的とする。
【課題を解決するための手段】
【００１０】
そこで本発明のトンネル照明制御システムでは、温度測定部によってランプからの光出力に相関のある最冷点温度を測定し、その温度と記憶部の温度データに対するランプからの光出力の相対値を求める。次に、野外の明るさの測定値またはタイマから、所期の明るさを特定し、前述の光出力の相対値を考慮して、照明器具の調光レベルの制御を行うものである。
【００１１】
すなわち、本発明では、トンネル内に配設された放電灯を有するトンネル用の照明器具の出力制御を行うトンネル照明制御システムであって、前記トンネル内に、前記放電灯の最冷点の温度を測定する測温手段と、前記放電灯の光出力を測定する光出力測定部とを、具備し、前記測温手段の測定結果と光出力との相対値を算出し、この相対値に基づいて、前記放電灯の点灯制御を行うようにしたことを特徴とする。
この構成により、最冷点温度を検出し、最冷点温度と光出力との相対値に基づいて放電灯の点灯制御を行うようにしているため、風の影響や季節による変動を反映し、高精度の点灯制御を実現することができる。照度センサが動作不能であるほど、周囲温度が大きく低下する地域でも、高精度の制御が可能である。
【００１２】
また本発明は、上記トンネル照明制御システムにおいて、前記測温手段として、前記トンネル内の温度を測定する温度測定部と、前記温度測定部の出力情報を格納する記憶部と、前記温度測定部の出力と前記記憶部に格納されたデータとを比較し、最冷点温度と光出力比率とを算出する演算部と、前記演算部の出力に基づいて前記放電灯の点灯制御を行う制御部とを具備したものを含む。
また、野外の明るさを測定する明るさ測定部を付加し、野外の明るさを考慮した点灯制御を行うことで、ドライバーが運転しやすい環境を作ることができる。すなわち、トンネル照明としては、ドライバーができるだけ運転しやすいように、トンネルの外部が晴天などで明るいときにはトンネルの内部も明るくし、トンネルの外部が深夜などで暗いときにはトンネルの内部も暗くすることができるという効果がある。
【００１３】
また本発明は、上記トンネル照明制御システムにおいて、前記放電灯がトンネルの縦断方向と略平行に配置されており、前記トンネルの入口側に前記放電灯の点灯回路におけるランプ出力線の低圧側が配置されるとともに、前記測温手段が前記トンネルの入り口側に配置されており、前記トンネル入口側の前記放電灯端部の最冷点で測温するものを含む。
この構成により、トンネル内部側に対して入り口側のランプ端部の温度は低くなる傾向にあるため、トンネルの入口側に前記放電灯の点灯回路のランプ出力線の低圧側が配置され、前記測温手段が前記トンネルの入り口側に配置されることで、入り口側の温度だけを測定し、光出力を推測することができる。
【００１４】
また本発明は、上記トンネル照明制御システムにおいて、累積点灯時間を計測する測時手段を有し、累積点灯時間と前記放電灯の光出力との関係を考慮し、前記放電灯の光出力を測温結果より補正するものを含む。
この構成により、累積点灯時間による光出力の減衰をも補正することでより高精度の点灯制御を実現することが可能となる。
【００１５】
また本発明は、上記トンネル照明制御システムにおいて、放電灯は、蛍光灯または無電極蛍光灯であるものを含む。
蛍光灯または無電極蛍光灯は、特に低温下では、蛍光体を確実に発光させるだけの出力を得るのが困難であり、十分な発光特性を得ることが出来ないという問題があった。最冷点温度は点灯回路におけるランプ出力線の低圧側に発生することが一般的であるが、器具形態によって、変化することから，直管型の蛍光ランプの場合は、両端の最冷点温度を測定し、低い方の温度を最冷点温度として制御を行う。また、無電極蛍光ランプの場合は、アマルガム部の温度を測定することで、直管形の蛍光ランプと同様に光出力比率を推測することが可能である。
ここで最冷点温度センサとは、特別の温度センサを用いているわけではなく、最冷点温度を検出しうる位置に配した温度センサをいうものとする。
【発明の効果】
【００１６】
以上説明してきたように、本発明によれば、トンネル内に、放電灯の最冷点の温度を測定する測温手段と、放電灯の光出力を測定する光出力測定部とを、具備し、測温手段の測定結果と光出力との相対値を算出し、この相対値に基づいて、前記放電灯の点灯制御を行うようにしているため、風の影響や季節による変動を反映し、高精度の点灯制御を実現することが可能となる。
【図面の簡単な説明】
【００１７】
【図１】本発明の実施の形態１のトンネル照明制御システムのシステム構成を示すブロック図
【図２】本発明の実施の形態１のトンネル照明制御システムのシステム構成の概要図
【図３】照明器具（蛍光ランプ）の最冷点温度と光出力の相対値の関係を示す図
【図４】本発明の実施の形態１における調光レベルを示す図
【図５】本発明の実施の形態２のトンネル照明制御システムのシステム構成を示す概要図
【図６】本発明の実施の形態２のトンネル照明制御システムのシステムのトンネル入り口側に対するトンネル内部側の最冷点温度の比を示す図
【図７】本発明の実施の形態３のトンネル照明制御システムにおける点灯時間とランプ出力との関係を示す図
【図８】本発明の実施の形態３のトンネル照明制御システムのシステム構成のブロック図
【図９】調光レベルを示す図
【図１０】周囲温度と出力比率との関係を示す図
【図１１】従来例のトンネル照明制御システムのシステム構成を示す概要図
【発明を実施するための形態】
【００１８】
以下本発明の実施の形態について図面を参照しつつ詳細に説明する。
（実施の形態１）
本発明の実施の形態１のトンネル照明制御システムのシステム構成を示すブロック図およびシステム構成の概要図を図１および２に示す。
このトンネル照明制御システムは、トンネルＴ内の最冷点温度を測定する温度測定部１００と、この温度測定部１００の出力情報を格納する記憶部２００と、野外の明るさを測定する明るさ測定部３００と、前記温度測定部１００の出力と記憶部２００に格納されたデータとを比較し、タイマー４００によって同期される時間毎に最冷点温度と光出力比率とを算出する演算部５００と、この演算部５００の出力に基づいて照明器具６００の点灯制御を行う制御部７００とを具備しており、照明器具の調光レベルの制御を行うものである。
【００１９】
ここで温度測定部１００は、照明器具６００を構成する複数の蛍光ランプからの光出力に相関のある最冷点温度を測定すべく、トンネルの出入り口に最も近い位置にある蛍光ランプ６０１の外方端近傍に設けられた最冷点温度センサ１０１を具備している。
また、演算部５００は、この温度測定部１００で得られた、蛍光ランプからの光出力に相関のある最冷点温度を測定し、その温度と記憶部の温度データに対する蛍光ランプ６０１からの光出力の相対値を算出する。次に、この演算部５００は、明るさ測定部３００による野外の明るさの測定値またはタイマ４００から、所期の明るさを特定し、前述の光出力の相対値を考慮して、照明器具６００の調光レベルを算出する。そしてこの演算部５００で得られた調光レベルに従って制御部７００で、照明器具６００の制御を行う。
【００２０】
また明るさ測定部３００は、輝度センサ３０１を具備しており、温度測定部１００は最冷点温度を測定する最冷点温度センサ１０１を具備している。
【００２１】
図３は、照明器具（蛍光ランプ）６００の最冷点温度と光出力の相対値の関係を示す図である。この関係から、最冷点温度センサ１０１で最冷点温度を測定することにより、この最冷点温度に基づいて演算部５００で演算し、照明器具６００からの光出力の相対値を算出することができる。そこで、最冷点温度センサ１０１として、低温においても温度測定が可能な熱電対を最冷点温度の発生する照明器具６００を構成する蛍光ランプ６０１の端部に接着している。この最冷点温度センサ１０１で得られた、最冷点温度を演算部５００にフィードバックし、また、野外の明るさデータとタイマのデータに基づいて図４に示す調光レベルを夏季運用とするか冬季運用とするかを設定する。
【００２２】
ここで、図２の概要図は直管形の蛍光ランプの事例を示しており、最冷点温度はランプ出力線の低圧回路側に発生することが一般的であるが、器具形態によって、変化することから両端の最冷点温度を測定し、低い方の温度を最冷点温度として制御を行うものである。また、無電極蛍光ランプの場合は、アマルガム部の温度を測定することで、直管形の蛍光ランプと同様に光出力比率を推測することができる。
【００２３】
このトンネル照明制御システムは、トンネル内を照射する蛍光ランプを有した複数の照明器具６００、トンネルの出入口付近の輝度を検出する輝度センサ３０１と、この輝度センサ３０１の検出した輝度と、温度測定部１００の最冷点温度センサ１０１とから、演算部５００で算出された調光レベルに応じて照明器具５００の点灯台数を制御する制御部７００と、トンネルの出入口付近の蛍光ランプ温度を検出する最冷点温度センサ１０１とを備えて構成されている。
【００２４】
照明器具６００は、トンネル内の天井に略等間隔ピッチで取り付けられており、その中には蛍光ランプ６０１が収納されている。この蛍光ランプ６０１はＨｆランプのような小型で高出力なランプが用いられている。
【００２５】
輝度センサ３０１は、トンネルの出入り口の輝度を検出するものである。ここでは、輝度を測定しているが、照度計により照度を測定してもよい。また、トンネルの出入り口から少し離れた箇所の照度や輝度を測定してもよい。
【００２６】
制御部７００は、輝度センサ３０１の検出した輝度に応じて輝度の小さなものより段階的に第１から第３までの輝度ランクを夏季と冬季で２バージョンづつ判別し、この判別した輝度ランクに応じて第３の輝度ランクに対応した最低点灯台数から第１の輝度ランクに対応した最高点灯台数までのいずれかの台数に照明器具６００の点灯台数を制御できるように構成されている。さらに、外気温センサを設けた場合にはこの外気温センサで検出された温度が所定の温度Ｙよりも低いときには、制御部７００は、判別した輝度ランク（Ｘ（１≦Ｘ＜Ｎ））よりもひとつ高い輝度ランク（Ｘ＋１）に対応した点灯台数となるように照明器具６００を構成する蛍光ランプ６０１の点灯台数を制御するようにしてもよい。
【００２７】
以上のように構成されたトンネル照明制御システムは、最冷点温度センサ１０１の出力から光出力の相対値を算出し、この値と輝度センサ３０１の検出した輝度に応じて、トンネルの外部が晴天であるか深夜であるかなどを判別し、この判別した結果を考慮して前記最冷点温度センサ１０１の出力に基づいて、例えば、夏季である場合昼間で第１の輝度ランクＡ１と判別されれば６００の全ての照明器具を点灯させ、夜間で第２の輝度ランクＡ２と判別されれば５０％の照明器具を点灯させるものとなる。
【００２８】
この動作を詳述すると、まず最冷点温度センサ１０１がトンネルで入り口の蛍光ランプ６０１の近傍で最冷点温度を検出するとともに、輝度センサ３０１がトンネルの出入口付近の輝度を検出し、これらの結果に基づいて演算部５００が制御部７００を介して照明器具６００の点灯制御をする。制御部７００は、検出された輝度が第１から第３の輝度ランクのいずれに該当するかを判別する。ここで各輝度ランクは、トンネルの外部の明るさに応じて、夏季を基準とし、昼間であれば第１の輝度ランクＡ１、夜間であれば第２の輝度ランクＡ２、深夜であれば第３の輝度ランクＡ３となるように設定されている。また冬季であれば、暗いため、輝度ランクを夏季よりも一ランクづつ高くして、昼間であれば第１の輝度ランクＡｓより１ランク高い第１の高輝度ランクＳ１、夜間であれば第２の高輝度ランクＳ２、深夜であれば第３の輝度ランクＳ３となるように設定されている。
そして、制御部７００は、最冷点温度に対応する光出力の相対値を考慮しこれに対応した輝度ランクに応じて第１の高輝度ランク（昼間）に対応した最低点灯台数から第３の輝度ランクに対応した最高点灯台数までのいずれかの台数に照明器具６００を構成する蛍光ランプ６０１の点灯台数を制御する。
【００２９】
ここで第１の輝度ランク（昼間）の場合には、制御部７００は１００％の蛍光ランプ６０１を点灯させる（最低点灯台数）。第２の輝度ランク（夜間）の場合は、制御部７００は５０％の蛍光ランプ６０１を点灯させる。第３の輝度ランク（深夜）の場合は、制御部７００は２５％の蛍光ランプ６０１を点灯させる。
【００３０】
このようにトンネル照明制御システムが動作することにより、外部温度の低下や風に起因する蛍光ランプの温度の低下により、輝度が低下するのを抑制し、信頼性の高い高輝度を得ることが可能となる。トンネルの外部とトンネルの内部の明るさが同じように変化するのでドライバーができるだけ運転しやすいものとなっている。
【００３１】
ところで、トンネルには、路面の基準輝度Ｐが定められており、これを確保しなければならない場合がある。例えば、図１で説明したトンネルでこれを定めた場合は、各輝度ランク（昼間、夜間、深夜（それぞれ夏季、冬季））に応じて路面の基準輝度Ｐが定められることになる。そして、通常は、最冷点温度を測定し、この温度に応じて、周囲温度が低くなり蛍光ランプの光出力が低下しても定められた温度範囲内であれば基準輝度Ｐが得られるように照明器具の台数が設定され、トンネルの内部に適宜配置されている。逆に言えば、最冷点温度点が低くなっても定められた温度範囲の範囲内であれば、路面の基準輝度Ｐを下回ることはないものとなる。
【００３２】
さらに、照明器具６００は、制御部７００が判別した輝度ランクに対応した点灯台数で点灯したときに、定められた温度範囲内において、トンネル内の路面の基準輝度Ｐが確保できるように配置され、所定の温度Ｙを、定められた温度範囲以下の温度としたことにより、広い温度範囲において路面の基準輝度Ｐが確保できるものとなる上に、例えば２５℃などの光出力が低下しない周囲温度では、路面が必要以上に明るくなってしまうことが軽減でき、エネルギーの有効活用も図れるものとなる。
【００３３】
以上説明してきたように、本実施の形態１の構成によれば、蛍光ランプを用いたトンネル照明器具は周囲温度だけでなく、照明器具の温度を低下させる作用のある風の影響を受けることから、ランプの光出力に相関のあるランプの最冷点温度に応じて運用時の調光レベルを設定することにより、特許文献１に示したトンネル照明制御システムに比べて、より正確にトンネル内の明るさを制御することができる。また、カレンダーによる制御方法に比べて消費電力の損失を軽減することができる。
【００３４】
（実施の形態２）
次に本発明の実施の形態２のトンネル照明制御システムについて説明する。
前記実施の形態１では、トンネル用の照明器具として直管形蛍光ランプを用いた場合の例であり、通常の通行に用いられるトンネルの場合について説明したが、本実施の形態では、一方通行のトンネルの場合の点灯制御について説明する。
【００３５】
図５に本発明の実施の形態２のトンネル照明制御システムのシステム構成の概要図を示すように一方通行のトンネルにおいては、走行車両によるピストン効果でトンネル内の風が車両の走行方向と同方向Ｆに発生するため、トンネル用の照明器具６００はトンネル入口側で温度が低下する。そこで本実施の形態では、温度測定部１００の最冷点温度センサ１０１を、トンネル入り口近傍の直管型蛍光ランプの外側端部に最冷点温度センサ１０１を配設したものである。図６はトンネル入口側坑口付近に設置した直管形蛍光ランプを用いたトンネル照明器具において、入口側とトンネル内部側のランプ端部の温度の比を示す。トンネル内部側に対して入口側のランプ端部の温度は低くなる傾向があることから、図５に示すようにランプ端部にランプ出力の低圧回路側を配置することにより、確実に入口側が最冷点温度になるように配列し、入口側の温度だけを測定し、光出力を推測するものである。
【００３６】
以上のように、直管形蛍光ランプの場合、ランプのどちらかの端部に最冷点温度が発生するが、一方通行のトンネルの場合、トンネル入口側の端部に最冷点温度が生じ、測定部位を特定できることから温度センサの個数を削減することができる。
【００３７】
（実施の形態３）
次に本発明の実施の形態３のトンネル照明制御システムについて説明する。
トンネル照明設計では、ランプの経年による光出力の減退を考慮して、照明器具の台数計画が行われる。つまり、直管形蛍光ランプの場合、寿命末期における光出力比率は初期の略80％となるため、ランプの寿命末期においても初期の明るさを確保できるように略１．２５倍（＝１／０．８）の台数を設置する設計が行われている。そのため、図７に示すようにランプの寿命末期に至るまで消費電力の損失が生じる。
【００３８】
そこで、予め記憶部に図７に示すような点灯時間に対する光出力比率のデータを保存し、前述の周囲温度や風の影響による光出力比率を考慮し、調光レベルの設定を行う。図８にシステム構成のブロック図を示す。この例では、実施の形態１の記憶部２００に格納された最冷点温度と光出力の比率との関係を示す第１記憶部に加えて、ランプの点灯時間と光出力比率との関係を示す第２記憶部２０１を具備したものである。この第２の記憶部２０１により、光出力の経年データを考慮し、調光レベルを補正する。
【００３９】
上記構成によれば、蛍光ランプの光出力の経年データに基づいて調光レベルを設定することにより、実施の形態１，２に比べて消費電力の軽減を図ることができる。
【符号の説明】
【００４０】
１    外気温センサ
３    輝度センサ
５    制御部
６    蛍光ランプ
１００    温度測定部
１０１    最冷点温度センサ
２００    記憶部
３００    明るさ測定部
３０１    輝度センサ
４００    タイマー
５００    演算部
６００    照明器具
７００    制御部
【図１】
2010198852.tif 000003
【図２】
2010198852.tif 000004
【図３】
2010198852.tif 000005
【図４】
2010198852.tif 000006
【図５】
2010198852.tif 000007
【図６】
2010198852.tif 000008
【図７】
2010198852.tif 000009
【図８】
2010198852.tif 000010
【図９】
2010198852.tif 000011
【図１０】
2010198852.tif 000012
【図１１】
2010198852.tif 000013